(57)【要約】【課題】インターネット上の商品ｗｅｂページのアドレスを商品自動入力装置に入力することで、そのｗｅｂページの情報を取得し再構成して、別の構成のｗｅｂページを作り出す。これにより、手作業による一つ一つの商品入力の煩わしさがなくなり、短時間で大量のｗｅｂページを容易に生み出すことが出来る。【解決手段】商品入力をし直したいｗｅｂページのアドレスを商品自動入力装置１に入力し、自動ｗｅｂページ再構成実行プログラム２を実行させると、自動ｗｅｂページ再構成実行プログラム２が収集プログラム１３に対象ページの情報収集、分類プログラム１４に収集した情報の分類、ページ再構成プログラム１５に分類した情報を基にページの再構成、アドレス付与プログラム１６に再構成完了ファイルへのアドレス付与、インターネット公開用サーバー移行プログラム１７にサーバーへの移行をそれぞれ命令することで、ｗｅｂページの再構成からインターネット公開までを自動で行う。【選択図】図２
2011159261.tif 000002
【特許請求の範囲】
【請求項１】
再構成し直したいｗｅｂページのアドレスを商品自動入力装置に入力することで、再構成し直したいｗｅｂページそのものを再構成し直し、別のアドレスのｗｅｂページを作り出しインターネットに公開させるまでの一連の商品自動入力装置。
【請求項２】
商品自動入力装置は自動ｗｅｂページ再構成実行プログラム、収集プログラム、分類プログラム、ページ再構成プログラム、アドレス付与プログラム、インターネット公開用サーバー移行プログラムの６つのプログラムを有し、自動ｗｅｂページ再構成実行プログラムは収集プログラム、分類プログラム、ページ再構成プログラム、アドレス付与プログラム、インターネット公開用サーバー移行プログラムの５つのプログラムを統括するプログラムである。
【請求項３】
商品自動入力装置は、収集プログラムによる対象アドレスのページ情報記録部、分類済み画像情報記録部、分類済み文字情報記録部、分類済みｈｔｍｌ情報記録部、ページ再構成用テンプレート部、ページ再構成完了ファイル部、アドレス付与済みページ再構成完了ファイル部の７つの情報記録部を有している。
【請求項４】
オンラインにおいて、構成し直したいｗｅｂページのアドレスを商品自動入力装置に入力することで自動ｗｅｂページ再構成実行プログラムを起動させ、自動ｗｅｂページ再構成実行プログラムは収集プログラムに命令を出し、指定されたｗｅｂページのアドレス内の取得する情報である画像情報、文字情報と、段落、画像位置の記述のあるｈｔｍｌ情報を取得させる。次に自動ｗｅｂページ再構成実行プログラムは分類プログラムに命令を出し、収集プログラムによって収集された画像情報を、収集したｈｔｍｌ情報に記述されている画像の位置を基に位置別に分類させ、収集プログラムによって収集された文字情報は、文章の位置、句読点の有無によって文章別に分類させる。次に自動ｗｅｂページ再構成実行プログラムはページ再構成プログラムに命令を出し、ｈｔｍｌ情報の記述されたテンプレートを基に分類された画像情報、分類された文字情報を当てはめてページを再構成しページ再構成完了ファイルを作り出す。
次に自動ｗｅｂページ再構成実行プログラムはアドレス付与プログラムに命令を出し、ページ再構成プログラムにより再構成されたページ再構成完了ファイルにアドレスを付与させてアドレス付与済みページ再構成完了ファイルを作り出す。次に自動ｗｅｂページ再構成実行プログラムはインターネット公開用サーバー移行プログラムに命令を出し、アドレス付与プログラムにより作成されたアドレス付与済みページ再構成完了ファイルをインターネット公開用サーバーに移行させ、インターネット公開を可能にさせるまでの一連の商品自動入力装置。
【請求項５】
オンラインにおいて、再構成し直したいｗｅｂページファイルを保存してあるパーソナルコンピューターから商品自動入力装置にアップロードすることで自動ｗｅｂページ再構成実行プログラムを起動させ、自動ｗｅｂページ再構成実行プログラムは収集プログラムに命令を出し、指定されたｗｅｂページのアドレス内の取得する情報である画像情報、文字情報と、段落、画像位置の記述のあるｈｔｍｌ情報を取得させる。
次に自動ｗｅｂページ再構成実行プログラムは分類プログラムに命令を出し、収集プログラムによって収集された画像情報を、収集したｈｔｍｌ情報に記述されている画像の位置を基に位置別に分類させ、収集プログラムによって収集された文字情報は、文章の位置、句読点の有無によって文章別に分類させる。
次に自動ｗｅｂページ再構成実行プログラムはページ再構成プログラムに命令を出し、ページ再構成用テンプレート部に予め格納されているｈｔｍｌ情報の記述されたページ再構成用のテンプレートであるｈｔｍｌファイルを基に、分類された画像情報、分類された文字情報を、ページ再構成用のテンプレートであるｈｔｍｌファイルに当てはめてページを再構成し、当てはめられた画像情報、文字情報と共にこのテンプレートであるｈｔｍｌファイルをページ再構成完了ファイルとして作り出す。
次に自動ｗｅｂページ再構成実行プログラムはアドレス付与プログラムに命令を出し、ページ再構成プログラムにより再構成されたページ再構成完了ファイルにアドレスを付与させてアドレス付与済みページ再構成完了ファイルを作り出す。次に自動ｗｅｂページ再構成実行プログラムはインターネット公開用サーバー移行プログラムに命令を出し、アドレス付与プログラムにより作成されたアドレス付与済みページ再構成完了ファイルをインターネット公開用サーバーに移行させ、インターネット公開を可能にさせるまでの一連の商品自動入力装置。
【請求項６】
インターネットに繋がないオフラインにおいて、自動ｗｅｂページ再構成実行プログラム、収集プログラム、分類プログラム、ページ再構成プログラム、アドレス付与プログラム、インターネット公開用サーバー移行プログラムの６つのプログラムと、収集プログラムによる対象アドレスのページ情報記録部、分類済み画像情報記録部、分類済み文字情報記録部、分類済みｈｔｍｌ情報記録部、ページ再構成用テンプレート部、ページ再構成完了ファイル部、アドレス付与済みページ再構成完了ファイル部の７つの情報記録部有した商品自動入力装置を一つのアプリケーションソフトとして他のコンピユーターにインストールすることで、インストール先のコンピューター上でｗｅｂページを再構成させ、インターネット公開用のファイルを作り出す一連の商品自動入力装置。
【発明の詳細な説明】
【技術分野】
【０００１】この発明は、インターネットに公開してある商品ｗｅｂページのアドレスを商品自動入力装置に入力することで、そのｗｅｂページの情報を取得し再構成して、別の構成のｗｅｂページを作り出す装置に関する。
【背景技術】
【０００２】ｇｏｏｇｌｅ及びｙａｈｏｏ等の検索サイトは検索結果のために収集した情報を基にアドレスを表示するためのｗｅｂページを作成し、サーバーを介して利用者の求める検索結果としてインターネットに公開している。しかし、収集対象のｗｅｂページの文言を抜粋して検索結果として表示しているが、収集対象のｗｅｂページそのものを構成し直して別のｗｅｂページを作り出しているというわけではない。【０００３】インターネットのショッピングサイトに関しては、出店済みのインターネットショッピングサイトから別のインターネットショッピングサイトに出店しようとする際に、商品入力は画像情報の入力、文字情報の入力、段落、構成等全てをｗｅｂページ毎に手入力していかなければならなかった。
【発明の概要】
【発明が解決しようとする課題】
【０００４】周知のようにインターネットのような情報産業ではスピードこそが顧客や広告主を獲得する力になります。出店済みのインターネットショッピングサイトから別のインターネットショッピングサイトに自動でページを構成し直せれば、手作業による一つ一つの商品入力の煩わしさがなくなり、短時間で大量のｗｅｂページを容易に生み出すことが出来る。
【課題を解決するための手段】
【０００５】商品入力をし直したいｗｅｂページのアドレスを商品自動入力装置に入力し、自動ｗｅｂページ再構成実行プログラムを起動させることで自動でｗｅｂページを再構成し直しインターネットに公開するまでの手段を以下に説明する。【０００６】商品入力をし直したいｗｅｂページのアドレスを商品自動入力装置に入力すると自動ｗｅｂページ再構成実行プログラムが起動し、自動ｗｅｂページ再構成実行プログラムの命令で収集プログラムが入力されたｗｅｂページにアクセスし、そのページの情報である画像情報、文字情報、ｈｔｍｌ（Ｈｙｐｅｒ  Ｔｅｘｔ  Ｍａｒｋｕｐ  Ｌａｎｇｕａｇｅ）情報を収集する。【０００７】次に自動ｗｅｂページ再構成実行プログラムは分類プログラムに命令をだし、収集プログラムにより収集されたｈｔｍｌ情報を基に画像情報、文字情報を分類させる。【０００８】次に自動ｗｅｂページ再構成実行プログラムはページ再構成プログラムに命令を出し、分類プログラムにより分類された画像情報、文字情報をページ再構成用テンプレート部に格納されているｈｔｍｌファイルの指定通りに割り当ててページ再構成完了ファイルを作成させる。【０００９】次に自動ｗｅｂページ再構成実行プログラムはアドレス付与プログラムに命令を出し、インターネット公開用サーバー内にある未使用のインターネットアドレスをページ再構成完了ファイルに付与し、アドレス付与済みページ再構成完了ファイルを作成させる。【００１０】次に自動ｗｅｂページ再構成実行プログラムはインターネット公開用サーバーへの移行プログラムに命令を出し、アドレス付与プログラムにより作成されたアドレス付与済みページ再構成完了ファイルをインターネット公開用サーバーに移行させる。【００１１】これにより商品入力をし直したいｗｅｂページのアドレスを商品自動入力装置に入力し自動ｗｅｂページ再構成実行プログラムを起動させることで後は自動でページを再構成し直し自動でインターネットに公開することが出来る。
【発明の効果】
【００１２】この発明により、出店済みのインターネットショッピングサイトから別のインターネットショッピングサイトに出店しようとする際に行う商品入力作業がアドレスを入力するだけで自動で商品の入力が出来るようになり、短時間で商品掲載ｗｅｂページを大量に容易に生み出すことが出来るようになる。
【発明を実施するための最良の形態】
【００１３】以下、図面を参照しながら本発明の実施の形態を説明する。
図１は本発明のインターネットのアドレス入力を利用した商品自動入力装置の構成図である。１は商品自動入力装置であり、自動ｗｅｂページ再構成実行プログラム２、情報記録部３、プログラム格納部４がサーバー内に格納されている。
自動ｗｅｂページ再構成実行プログラム２は、収集プログラム１３、分類プログラム１４、ページ再構成プログラム１５、アドレス付与プログラム１６、インターネット公開用サーバー移行プログラム１７を統括するプログラムである。【００１４】図２は商品自動入力装置の実行フローチャートである。
Ｓ１からＳ２３は処理動作を示すものである。
図３は情報記録部の構成図である。
ページ再構成用テンプレート部１０には、画像位置、文字位置を指定してあるページ再構成用のテンプレートであるｈｔｍｌファイルがあらかじめ格納されている。
さらにこの情報記録部は収集プログラム１３により収集されるｗｅｂページの情報を記録する収集プログラムによる対象アドレスのページ情報記録部５や、分類プログラム１４により分類された情報を記録する分類済み画像情報記録部７、分類済み文字情報記録部８、分類済みｈｔｍｌ情報記録部９、ページ再構成プログラム１５により再構成された情報を記録するページ再構成完了ファイル部１１、アドレス付与プログラム１６によりアドレスが付与されたファイルを記録するアドレス付与済みページ再構成完了ファイル部１２以上で構成されている。【００１５】図４はプログラム格納部の構成図である。収集プログラム１３、分類プログラム１４、ページ再構成プログラム１５、アドレス付与プログラム１６、インターネット公開用サーバー移行プログラム１７  以上で構成されているプログラム格納部である。
収集プログラム１３は指定されたｗｅｂページにアクセスしそのｗｅｂページの画像情報、文字情報、ｈｔｍｌ情報を収集するプログラムである。
分類プログラム１４は収集プログラム１３によって収集された画像情報を収集したｈｔｍｌ情報に記述されている画像の位置を基に位置別に分類し、文字情報を文章の位置、句読点の有無によって文章別に分類するプログラムである。
ページ再構成プログラム１５は分類プログラム１４によって分類された画像情報、文字情報をページ再構成用テンプレート部１０に格納されているｈｔｍｌファイルの指定にそってこのｈｔｍｌファイルに当てはめてページ再構成完了ファイルを作り出すプログラムである。
アドレス付与プログラム１６はインターネット公開用サーバー１８内にある未使用のインターネットアドレスをページ再構成完了ファイルに付与してアドレス付与済みページ再構成完了ファイルを作り出すプログラムである。
インターネット公開用サーバー移行プログラム１７はインターネットアドレスを付与されたアドレス付与済みページ再構成完了ファイルをインターネット公開用サーバー１８に移行させるプログラムである。【００１６】利用ユーザー２１は再構成し直したいｗｅｂページのアドレスを商品自動入力装置１に入力する。（Ｓ１）
入力方法はインターネットを介したオンライン入力の場合と、インターネットに繋がないオフライン入力があるが、先にオンライン入力について説明する。【００１７】商品自動入力装置１に入力すると、自動ｗｅｂページ再構成実行プログラム２が起動し、収集プログラム１３に収集命令を出す。（Ｓ２）
収集プログラム１３は入力された対象アドレスのｗｅｂページ２０にインターネットを介してアクセスする。（Ｓ３）
収集プログラム１３は対象アドレスのｗｅｂページ２０の情報である画像情報、文字情報、ｈｔｍｌ（Ｈｙｐｅｒ  Ｔｅｘｔ  Ｍａｒｋｕｐ  Ｌａｎｇｕａｇｅ）情報を情報記録部３にある収集プログラムによる対象アドレスのページ情報記録部５に記録し（Ｓ５）、自動ｗｅｂページ再構成実行プログラム２に記録完了を伝える。
次に記録完了を伝えられた自動ｗｅｂページ再構成実行プログラム２は分類プログラム１４に分類命令を出す。（Ｓ１５）【００１８】分類プログラム１４は収集プログラムによる対象アドレスのページ情報記録部５にある情報を分類する。
収集プログラム１３によって収集された画像情報を、収集したｈｔｍｌ情報に記述されている画像の位置を基に位置別に分類し分類済み画像情報記録部７へ分類する。（Ｓ７）
収集プログラム１３によって収集された文字情報は、文章の位置、句読点の有無によって文章別に分類し、分類済み文字情報記録部８へ分類する。（Ｓ７）
分類プログラム１４は自動ｗｅｂページ再構成実行プログラム２に分類完了を伝える。【００１９】次に分類完了を伝えられた自動ｗｅｂページ再構成実行プログラム２はページ再構成プログラム１５にページ再構成を命令する（Ｓ１６）。
ページ再構成プログラム１５はページ再構成用テンプレート部１０に格納されているテンプレートのｈｔｍｌファイルの指定にそって分類済み画像情報記録部７、分類済み文字情報記録部８、から画像情報、文字情報をテンプレートのｈｔｍｌファイルに当てはめる。
当てはめた画像情報、文字情報と共にテンプレートのｈｔｍｌファイルをページ再構成完了ファイルとしてページ再構成完了ファイル部１１に記録する。（Ｓ１０）
ページ再構成プログラム１５は自動ｗｅｂページ再構成実行プログラム２に再構成完了を伝える。【００２０】次に再構成完了を伝えられた自動ｗｅｂページ再構成実行プログラム２はアドレス付与プログラム１６にアドレス付与の命令を出す。（Ｓ１７）
アドレス付与プログラム１６は、インターネット公開用サーバー１８内にある未使用のインターネットアドレスをページ再構成完了ファイル部１１にあるページ再構成完了ファイルに付与し、アドレス付与済みページ再構成完了ファイルを作成し、アドレス付与済みページ再構成完了ファイル部１２に記録する。（Ｓ１２）
アドレス付与プログラム１６は自動ｗｅｂページ再構成実行プログラム２にアドレス付与完了を伝える。【００２１】次にアドレス付与完了を伝えられた自動ｗｅｂページ再構成実行プログラム２はインターネット公開用サーバー移行プログラム１７にインターネット公開用サーバー１８への移行命令を出す。（Ｓ１８）
インターネット公開用サーバー移行プログラム１７はアドレス付与済みページ再構成完了ファイル部１２にあるアドレス付与済みページ再構成完了ファイルをインターネット公開用サーバー１８へ移行させる。（Ｓ２０）【００２２】上記実施形態によって、商品入力をし直したい商品のｗｅｂページのアドレスを商品自動入力装置１の自動ｗｅｂページ再構成実行プログラム２に入力し自動ｗｅｂページ再構成実行プログラム２を起動させることで、後は商品自動入力装置１が自動でｗｅｂページを再構成し直しインターネットに公開することが出来る。
これにより、出店済みのインターネットショッピングサイトの商品ページから別のインターネットショッピングサイトに自動でページを構成し直すことが出来、手作業による一つ一つの商品入力の煩わしさがなくなり、短時間で大量の商品ｗｅｂページを容易に生み出すことが出来る。【００２３】この発明である商品自動入力装置を応用すると、以下のことが行える。【００２４】図５のようにオンラインにおいて、上記で説明したｗｅｂ上の商品ページのみならず、ＰＣ上で作成中のページのファイルをインターネットを通じて商品自動入力装置１にアップロードしてｗｅｂページを再構成し、インターネット公開することも可能である。
ｗｅｂページのアドレスを商品自動入力装置１にある自動再構成実行プログラム２に入力する図２の代わりに、図５のようにＰＣ上で作成中のページのファイルをインターネットを通じて商品自動入力装置１にアップロードすることで自動ｗｅｂページ再構成実行プログラム２が起動し、アップロードされたファイル部２５にアクセスし、再構成からインターネット公開まで自動で行うことを可能にする。【００２５】インターネットに繋がないオフラインにおいて、自動ｗｅｂページ再構成実行プログラム２、収集プログラム１３、分類プログラム１４、ページ再構成プログラム１５、アドレス付与プログラム１６、インターネット公開用サーバー移行プログラム１７の６つのプログラムと、収集プログラムによる対象アドレスのページ情報記録部５、分類済み画像情報記録部７、分類済み文字情報記録部８、分類済みｈｔｍｌ情報記録部９、ページ再構成用テンプレート部１０、ページ再構成完了ファイル部１１、アドレス付与済みページ再構成完了ファイル部１２の７つの情報記録部有した商品自動入力装置を一つのアプリケーションソフトとして他のコンピューターにインストールすることで、インストール先のコンピューター上でｗｅｂページを再構成させ、インターネット公開用のファイルを作り出すことが出来る。
【図面の簡単な説明】
【００２６】
【図１】商品自動入力装置の構成図
【図２】商品自動入力装置の実行フローチャート
【図３】情報記録部の構成図
【図４】プログラム格納部の構成図
【図５】アップロードでの商品自動入力装置の実行フローチャート
【符号の説明】
【００２７】  １      商品自動入力装置
２      自動ｗｅｂページ再構成実行プログラム
３      情報記録部
４      プログラム格納部
５      収集プログラムによる対象アドレスのページ情報記録部
６      分類済み情報記録部（分類済み画像情報記録部７、分類済み文字情報記録部８、分類済みｈｔｍｌ情報記録部９を有する）
７      分類済み画像情報記録部
８      分類済み文字情報記録部
９      分類済みｈｔｍｌ情報記録部
１０      ページ再構成用テンプレート部（画像位置、文字位置を指定してあるテンプレートのｈｔｍｌファイルが格納されている
１１      ページ再構成完了ファイル部
１２      アドレス付与済みページ再構成完了ファイル部
１３      収集プログラム
１４      分類プログラム
１５      ページ再構成プログラム
１６      アドレス付与プログラム
１７      インターネット公開用サーバー移行プログラム
１８      インターネット公開用サーバー
２０      対象アドレスのｗｅｂページ
２１      利用ユーザー
２３      利用ユーザーのパーソナルコンピューター
２５      アップロードされたファイル部
Ｓ１      利用ユーザーからのアドレス入力
Ｓ２      自動ｗｅｂページ再構成実行プログラムから収集プログラムへの命令
Ｓ３      収集プログラムによる対象アドレスのｗｅｂページへのアクセス
Ｓ４      対象ｗｅｂページの情報収集
Ｓ５      画像情報、文字情報、ｈｔｍｌ情報の記録
Ｓ７      分類済み画像情報、分類済み文字情報の記録
Ｓ１０    ページ再構成完了ファイルの記録
Ｓ１２    アドレス付与済みページ再構成完了ファイル
Ｓ１５    自動ｗｅｂページ再構成実行プログラムから分類プログラムへの命令
Ｓ１６    自動ｗｅｂページ再構成実行プログラムからページ再構成プログラムへの命令
Ｓ１７    自動ｗｅｂページ再構成実行プログラムからアドレス付与プログラムへの命令
Ｓ１８    自動ｗｅｂページ再構成実行プログラムからインターネット公開用サーバー移行プログラムへの命令
Ｓ２０    アドレス付与済みページ再構成完了ファイルのインターネット公開用サーバーへの移行
Ｓ２１    利用ユーザーのパーソナルコンピューターから商品自動入力装置へのアップロード
Ｓ２２    収集プログラムによるアップロードされたファイルへのアクセス
Ｓ２３    対象ファイルの情報収集
【図１】
2011159261.tif 000003
【図２】
2011159261.tif 000004
【図３】
2011159261.tif 000005
【図４】
2011159261.tif 000006
【図５】
2011159261.tif 000007